(57)【要約】【課題】映像とともに、その映像に相応しい香りをより深く堪能することが可能な電子機器を提供することを課題の一つとする。【解決手段】電子機器は、表示装置、連結部を介して表示装置と電気的に接続され、香料の蒸気を放出する発香装置を備える。連結部は、発香装置と表示装置を相対的に回転可能に連結する。発香装置は、蒸気を放出するための開口部を有してもよい。この開口部は、発香装置が連結部の軸を中心として回転する際に開口部が描く軌跡が円となるように配置することができる。また、連結部は、表示装置の表示方向と発香装置の発香方向が互いに異なるように、発香装置と表示装置を回転可能に連結してもよい。【選択図】図１
2020014583.tif 000002
【特許請求の範囲】
【請求項１】
表示装置、
連結部を介して前記表示装置と電気的に接続され、香料の蒸気を放出する発香装置を備え、
前記連結部は、前記発香装置と前記表示装置を相対的に回転可能に連結する電子機器。
【請求項２】
前記発香装置は、前記蒸気を放出するための開口部を有し、
前記開口部は、前記発香装置が前記連結部の軸を中心として回転する際に前記開口部が描く軌跡が円となるように配置される、請求項１に記載の電子機器。
【請求項３】
前記連結部は、前記表示装置の表示方向と前記発香装置の発香方向が互いに異なるように、前記発香装置と前記表示装置を回転可能に連結する、請求項１に記載の電子機器。
【請求項４】
前記表示装置は、表示パネル、および前記表示パネル上のタッチセンサを有し、
前記発香装置は、前記タッチセンサを通して入力される信号によって制御される、請求項１に記載の電子機器。
【請求項５】
前記発香装置は、
前記香料が充填されたカートリッジの情報を取得するための機構、および
前記情報を前記表示装置へ送信するための制御部を有する、請求項１に記載の電子機器。
【請求項６】
前記表示装置は、
前記情報を受信する制御部、および
前記情報に基づいて前記香料に対応する映像データを要求するための信号を送信し、前記映像データを受信するための送受信部を有する、請求項５に記載の電子機器。
【請求項７】
前記表示装置は、
表示パネル、および
前記表示パネルに接続され、前記映像データを前記表示パネルに供給するための駆動部を有する、請求項６に記載の電子機器。
【請求項８】
前記発香装置は、前記香料を放出するための機構を備え、
前記発香装置の前記制御部は、前記映像データが前記表示パネルに供給されている時に、前記香料を放出するための信号を前記機構へ送信するように構成される、請求項７に記載の電子機器。
【請求項９】
筐体、
前記筐体内に位置し表示領域を有する表示パネル、および
前記筐体内に位置し、香料の蒸気を放出するための第１の開口部を有する発香装置を備え、
前記表示領域は、前記第１の開口部と重なる第１の切り欠きを有する電子機器。
【請求項１０】
前記表示パネルは、互いに対向する一対の基板を有し、
前記一対の基板の各々は、前記第１の開口部と重なる第２の開口部を有する、請求項９に記載の電子機器。
【請求項１１】
前記表示パネルは、互いに対向する一対の基板を有し、
前記一対の基板の各々は、前記第１の開口部と重なる第２の切り欠きを有する、請求項９に記載の電子機器。
【請求項１２】
前記第１の切り欠きは開いた形状を有する、請求項９に記載の電子機器。
【請求項１３】
前記第１の切り欠きは、前記表示領域に囲まれた閉じた形状を有する開口部である、請求項９に記載の電子機器。
【請求項１４】
前記表示領域は、互いに対向し、互いに平行な第１の辺と第２の辺を有し、
前記第１の開口部から前記第１の辺までの距離は、前記第１の開口部から前記第２の辺までの距離と異なる、請求項９に記載の電子機器。
【請求項１５】
前記表示領域は、互いに対向し、互いに平行な第１の辺と第２の辺を有し、
前記第１の開口部から前記第１の辺までの距離は、前記第１の開口部から前記第２の辺までの距離と同一である、請求項９に記載の電子機器。
【請求項１６】
前記表示領域は円形である、請求項９に記載の電子機器。
【請求項１７】
筐体、
前記筐体内に位置し、第１の表示領域と第２の表示領域を有する表示パネル、および
前記筐体内に位置し、香料の蒸気を放出するための第１の開口部を有する発香装置を備え、
前記第１の開口部は、前記第１の表示領域と前記第２の表示領域に挟まれる領域と重なる電子機器。
【請求項１８】
前記表示パネルは、互いに対向する一対の基板を有し、
前記一対の基板の各々は、前記第１の開口部と重なる第２の開口部を有する、請求項１７に記載の電子機器。
【請求項１９】
前記第１の表示領域は第１の切り欠きを有し、
前記第１の開口部は前記第１の切り欠きと重なる、請求項１７に記載の電子機器。
【請求項２０】
前記第２の表示領域は第２の切り欠きを有し、
前記第１の開口部は前記第１の切り欠きと前記第２の切り欠きに挟まれる領域と重なる、請求項１９に記載の電子機器。
【発明の詳細な説明】
【技術分野】
【０００１】
本発明の実施形態の一つは、電子機器に関する。例えば本発明の実施形態の一つは、表示機能を有する表示装置、および香りを発する機能を有する装置を併せ持つ電子機器に関する。
【背景技術】
【０００２】
近年、携帯電話や携帯ゲーム機器などの小型電子機器に香りを発する機能（発香機能）が付加された電子機器が知られている。例えば特許文献１、２に開示されているように、このような電子機器には、電子機器の全体を操作するための操作部、画像を表示するための表示部、および香料を発するための発香部が備えられる。表示部に映像を表示するとともに発香部を用いて香料を適宜放出させることで、視覚と聴覚を通じで映像を鑑賞できるだけでなく、映像が醸し出す雰囲気を嗅覚を通じて享受ことができる。
【先行技術文献】
【特許文献】
【０００３】
【特許文献１】特開２０１０−１３６２６６号公報
【特許文献２】特開２００３−３１０７４０号公報
【発明の概要】
【発明が解決しようとする課題】
【０００４】
本発明の実施形態の一つは、映像とともに、その映像に相応しい香りをより深く堪能することが可能な電子機器を提供することを課題の一つとする。あるいは本発明の実施形態の一つは、香りに相応しい映像を表示可能な電子機器を提供することを課題の一つとする。
【課題を解決するための手段】
【０００５】
本発明に係る実施形態の一つは電子機器である。この電子機器は、表示装置、連結部を介して表示装置と電気的に接続され、香料の蒸気を放出する発香装置を備える。連結部は、発香装置と表示装置を相対的に回転可能に連結する。
【０００６】
本発明に係る実施形態の一つは電子機器である。この電子機器は、筐体、筐体内に位置し、表示領域を有する表示パネル、および筐体内に位置し、香料の蒸気を放出するための第１の開口部を有する発香装置を備える。表示領域は、第１の開口部と重なる第１の切り欠きを有する。
【０００７】
本発明に係る実施形態の一つは電子機器である。この電子機器は、筐体、筐体内に位置し、第１の表示領域と第２の表示領域を有する表示パネル、および筐体内に位置し、香料の蒸気を放出するための第１の開口部を有する発香装置を備える。第１の開口部は、第１の表示領域と第２の表示領域に挟まれる領域と重なる。
【図面の簡単な説明】
【０００８】
【図１】本発明の実施形態の一つである電子機器の模式的斜視図。
【図２】本発明の実施形態の一つである電子機器の模式的上面図と断面図、およびこの電子機器に使用可能な香料を収納するカートリッジの模式的斜視図。
【図３】本発明の実施形態の一つである電子機器のブロック図。
【図４】本発明の実施形態の一つである電子機器の動作フロー。
【図５】本発明の実施形態の一つである電子機器の動作フロー。
【図６】本発明の実施形態の一つである電子機器の動作フロー。
【図７】本発明の実施形態の一つである電子機器の上面模式図。
【図８】本発明の実施形態の一つである電子機器の断面模式図。
【図９】本発明の実施形態の一つである電子機器の上面模式図。
【図１０】本発明の実施形態の一つである電子機器の上面模式図。
【図１１】本発明の実施形態の一つである電子機器の上面模式図。
【図１２】本発明の実施形態の一つである電子機器の上面模式図。
【図１３】本発明の実施形態の一つである電子機器の上面模式図。
【図１４】本発明の実施形態の一つである電子機器の上面模式図。
【図１５】本発明の実施形態の一つである電子機器の使用態様を表す模式図。
【図１６】本発明の実施形態の一つである電子機器の模式的斜視図。
【図１７】本発明の実施形態の一つである電子機器の模式的斜視図。
【図１８】本発明の実施形態の一つである電子機器のブロック図。
【図１９】本発明の実施形態の一つである電子機器の模式的斜視図と上面図。
【図２０】本発明の実施形態の一つである電子機器のブロック図。
【発明を実施するための形態】
【０００９】
以下、本発明の各実施形態について、図面等を参照しつつ説明する。但し、本発明は、その要旨を逸脱しない範囲において様々な態様で実施することができ、以下に例示する実施形態の記載内容に限定して解釈されるものではない。
【００１０】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１１】
本明細書および特許請求の範囲において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１２】
本明細書および図面において、同一、あるいは類似する複数の構成を総じて表記する際には同一の符号を用い、これら複数の構成のそれぞれを区別して表記する際には、さらにハイフンと自然数を用いる。
【００１３】
（第１実施形態）
本実施形態では、本発明の実施形態の一つに係る電子機器１００について説明する。
【００１４】
１．構成
図１（Ａ）に示すように、電子機器１００は、表示装置１１０、および発香機能を有する装置である装置（以下、発香装置）１５０を有する。これらの表示装置１１０と発香装置１５０は、連結部（回転機構）１１２によって接続される。電子機器１００は、筐体１１４、および筐体１１４内に設けられる表示ユニット１１６を備え、映像を表示する機能を有する。一方、発香装置１５０は、その内部に香料が備えられ、開口部１５６から香料の蒸気を拡散する、あるいは放出する機能を有する。図１（Ｂ）に示すように、発香装置１５０は連結部１１２を軸として表示装置１１０に対して回転することができる。このため、発香装置１５０が連結部１１２の軸を中心と回転する際、開口部１５６が描く軌跡は円となる。回転の角度に制約はなく、同一方向に３６０°以上回転可能なように、あるいは一定の角度（例えば９０°）以下に回転角を制限するように電子機器１００を構成してもよい。発香装置１５０から放出される香料の蒸気は開口部１５６から拡散・放出するため、ユーザは、表示装置１１０による表示の方向と香料の蒸気の拡散・放出方向（以下、発香方向）を任意に設定することができる。任意の構成として、表示装置１１０は音声出力部１１８や音声入力部１２０を有してもよい。なお、発香装置１５０は表示装置１１０から着脱可能である。このためユーザは、表示装置１１０と発香装置１５０を分離し、それぞれを個別に用いて映像を鑑賞したり、香りを享受したりできるだけでなく、表示装置１１０と発香装置１５０が接続された状態で香料が醸し出す雰囲気を享受しながら映像を鑑賞することができる。後者の場合、発香方向を調整することで、香料の強弱を調整することも可能である。
【００１５】
図２（Ａ）に発香装置１５０の上面模式図を、図２（Ａ）の鎖線Ａ−Ａ´に沿った断面模式図を図２（Ｂ）に示す。図２（Ａ）、図２（Ｂ）に示すように、発香装置１５０は下部筐体１５２と上部筐体１５４を有し、これらは互いに着脱可能なように構成される。開口部１５６は上部筐体１５４に設けられ、この開口部１５６から香料の蒸気が拡散・放出される。開口部１５６は複数設けてもよい。開口部１５６の中心を通り、発香装置１５０の上面に垂直な方向が発香方向となる。
【００１６】
下部筐体１５２には、香料が充填されるカートリッジ１７０を設置するためのガイド１５８を形成してもよい。ガイド１５８はその周囲より窪んだ形状を有しており、これによりユーザは容易にカートリッジ１７０を正しい位置に正しい方向で配置することができる。図２（Ａ）、図２（Ｂ）では、発香装置１５０には複数のカートリッジ１７０が配置される構成が示されているが、発香装置１５０は単一のカートリッジ１７０が配置できるように構成してもよく、あるいは７つ以上のカートリッジ１７０が配置されるように構成してもよい。
【００１７】
発香装置１５０には、カートリッジ１７０内に充填される香料の蒸発、もしくは昇華（以下、これらの現象を総じて気化と記す）を促進するための気化部１６４が設けられる。気化部１６４の構成に限定は無く、例えばファンや加熱装置でもよい。ファンを用いる場合には、カートリッジ１７０の底面、または側面をメッシュ状に形成する、あるいは底面、または側面に開口部を設け、ファンによって与えられる気流によって香料の気化が促進される。あるいは、香料の気体が高圧で充填されるようにカートリッジ１７０を構成し、カートリッジ１７０に設けられるノズルのオン−オフを行うための機構を気化部１６４として設けてもよい。図２（Ｂ）では、気化部１６４として加熱装置が設けられる例が示されている。加熱装置は、例えばガイド１５８に形成される溝や凹部内に設けることができ、カートリッジ１７０と接するように溝や凹部の深さや面積が調整される。後述する制御部１８０からの信号に応答して加熱装置が駆動し、カートリッジ１７０を加熱し、これにより香料の気化が促進される。
【００１８】
下部筐体１５２には、着脱可能な固定板１６０を設けてもよい。固定板１６０は下部筐体１５２内でカートリッジ１７０を固定する機能を有する。固定板１６０には香料の蒸気を通過させるための開口部や溝などを設けてもよい。香料の蒸気はカートリッジ１７０に設けられる開口部（あるいはノズル）１７２から拡散され、固定板１６０と下部筐体１５２の間の空間に広がり、最終的には固定板１６０の開口部と上部筐体１５４の開口部１５６を通過し、発香装置１５０の外部へ拡散・放出さする。
【００１９】
任意の構成として、カートリッジ１７０を識別するための識別部１６６を下部筐体１５２に設けてもよい。例えば図２（Ｃ）に示すように、カートリッジ１７０にメモリを有する回路１７４を取り付け、メモリにカートリッジ１７０に関する情報、すなわちカートリッジ１７０内に充填される香料の種類に関する情報（以下、香料データ）を記録する。香料データには、カートリッジ１７０内の香料の量に関する情報が含まれていてもよい。識別部１６６はメモリ内の香料データを読み取り、電気信号として制御部１８０へ送信する機能を有する。例えば回路１７４が無線通信可能なＩＣタグに含まれている場合には、識別部１６６は、回路１７４を駆動するための電力を送信し、回路１７４から送信される信号を受信するためのアンテナに加え、受信した信号を処理するための受信回路、変調回路、復調回路、および信号を制御部１８０へ送信するための送信回路などで構成される。あるいは識別部１６６は、制御部１８０と回路１７４を電気的に接続する端子として機能してもよい。あるいは識別部１６６は、カートリッジ１７０に記載された識別子を光学的に読み取り可能なように構成してもよい。この場合、識別部１６６は、識別子に光を照射するための光源、識別子からの反射光を読み取るためのＣＣＤセンサなどの光センサ、光センサで得られる光学情報を電気信号に変換するための変換回路などを備えてもよい。
【００２０】
図３に電子機器１００のブロック図を示す。発香装置１５０は、発香装置１５０の全体を制御する制御部１８０、気化部１６４、および識別部１６６を主な構成として有する。任意の構成として、発香装置１５０はバッテリ１８２を備えてもよい。バッテリ１８２を設けない場合には、発香装置１５０を駆動するための電力は連結部１１２を介して表示装置１１０から供給される。以下、本実施形態では、気化部１６４として加熱装置が制御部１８０に接続された例を用いて説明を続ける。
【００２１】
制御部１８０は、表示装置１１０からの命令を受信し、これに基づいて気化部１６４や識別部１６６を制御するための信号を生成、送信する機能を有する。さらに制御部１８０は、識別部１６６を介してカートリッジ１７０の香料データを取得し、これを表示装置１１０の制御部１３６へ送信する機能を有する。より具体的には、制御部１８０は回路１７４に対し、香料データを要求する命令を識別部１６６を介して送信し、識別部１６６を介して回路１７４から香料データを受信する。
【００２２】
表示装置１１０は、制御部１３６に加え、表示ユニット１１６、表示ユニット１１６を制御するための信号を生成する駆動部１３４、音声出力部１１８、音声入力部１２０、送受信部１２２、メモリ１２４、およびバッテリ１２６を主な構成として有する。図示していないが、表示装置１１０は撮像部を備えていてもよい。
【００２３】
表示ユニット１１６は、表示パネル１３０、および表示パネル１３０上に設けられるタッチセンサ１３２を有する。駆動部１３４は、制御部１３６からの命令に基づいて映像データから映像信号を生成し、表示パネル１３０へ供給する。これにより、メモリ１２４内に格納された映像データ、あるいは送受信部１２２が外部サーバ１４０などから受信した映像データが表示パネル１３０によって映像として表示される。表示パネル１３０としては、液晶表示装置や電界発光表示装置などが例示される。表示パネル１３０の主面は平坦であり、その法線方向が表示装置１１０の表示方向となる。
【００２４】
タッチセンサ１３２はユーザインターフェースの一つであり、ユーザによる入力操作を感知する。ユーザは表示ユニット１１６上に表示される映像を見ながらタッチセンサ１３２に触れて操作することで、種々の命令を電子機器１００へ入力することができる。タッチセンサ１３２としては、例えば投影型静電容量方式のタッチセンサが挙げられる。
【００２５】
送受信部１２２は、電子機器１００が他の電子機器や外部サーバ１４０との通信を行うために設けられる。通信のモードは無線でも有線でも良い。例えば地上電話通信線やインターネット、ローカルエリアネットワークと通信できるように構成されてもよく、ＩＥＥＥ８０１．１１規格（例えば、ＷｉＦｉ）やブルートゥース（登録商標）リンクなどの短距離、または中距離無線通信リンクを介してこれらの通信ネットワークと接続できるように構成されてもよい。あるいは、ＵＳＢ接続などの物理的な接続（他の例として、配線、ケーブル、プラグなど）によって他の通信機器と通信できるように構成されてもよい。
【００２６】
メモリ１２４には、制御部１３６を動作させるためのアプリケーションソフトウェアや、外部から受信した映像データ、撮像部が取得した映像データなどが格納される。さらにメモリ１２４には、発香装置１５０に収納されたカートリッジ１７０の香料データが格納される。
【００２７】
２．動作
上述した構成を有する電子機器１００により、以下に述べるように、ユーザは映像を鑑賞するだけでなく、香料に由来する香りをも同時に享受することができる。
【００２８】
２−１．香料データの取得と格納
まず、香料データの取得と格納を行う。このフローの一例を図４（Ａ）に示す。ユーザは香料が充填されたカートリッジ１７０を下部筐体１５２に設けられるガイド１５８に配置する。固定板１６０を用いる場合、カートリッジ１７０は固定板１６０によってさらに安定的に固定される。その後、上部筐体１５４を下部筐体１５２に取り付ける。
【００２９】
表示装置１１０の制御部１３６は、発香装置１５０の制御部１８０に対し、カートリッジ１７０の香料データを要求するための命令を送信する（Ｓ１００）。この命令に従って発香装置１５０の制御部１８０は、識別部１６６に対し、カートリッジ１７０の回路１７４のメモリ内に格納された香料データを要求する命令を送信する（Ｓ１０２）。この命令に従って識別部１６６はメモリから香料データを取得し、識別部１６６が設けられたガイド１５８の位置情報とともに制御部１８０へ送信する（Ｓ１０４）。香料データを受信した制御部１８０は、これらの情報を表示装置１１０の制御部１３６へ送信し（Ｓ１０６）、制御部１３６はこれらの情報をメモリ１２４へ格納する（Ｓ１０８）。これにより、香料データと、この香料データを有するカートリッジ１７０が配置されたガイド１５８の位置が対応付けされる。
【００３０】
あるいは、ユーザ自身が香料データを表示装置１１０に記録するよう操作を行ってもよい。例えば、ユーザはタッチセンサ１３２を操作し、自身で設置したカートリッジ１７０の香料データを入力する。入力された情報は駆動部１３４を介して制御部１３６へ送られ（Ｓ１１０）、その後メモリ１２４に格納される（Ｓ１１２）。以上のフローにより、香料データ、およびこの香料データを有するカートリッジ１７０が配置されたガイド１５８の位置情報が表示装置１１０に記録され、互いに対応付けられる。
【００３１】
２−２．映像データの取得と格納
映像データは種々の方法によって取得することができるが、その一例を図４（Ｂ）のフローを用いて示す。例えばユーザは、タッチセンサ１３２を操作し、図示しない外部サーバ１４０や他の通信機器との通信を確立し、映像データを取得する命令を入力する。この命令は駆動部１３４を介して制御部１３６に送信される（Ｓ１２０）。ここで、他の通信機器としては、ユーザ自身、あるいは他のユーザのコンピュータや携帯通信端末などが挙げられる。外部サーバ１４０としは、映像データを商業的に配信するプロバイダーが管理するサーバが例示される。この命令を受けた制御部１３６は送受信部１２２に対し、外部サーバ１４０や通信機器と通信を行い、映像データを要請するための命令を送信する（Ｓ１２２）。送受信部１２２はこの命令に基づいて映像データを要求する信号を外部サーバ１４０や他の通信機器に送信し（Ｓ１２４）、外部サーバ１４０や通信機器は該当する映像データを送受信部１２２に送信する（Ｓ１２６）。その後、映像データは制御部１３６を介し、メモリ１２４へ格納される（Ｓ１２８、Ｓ１３０）。以上のフローにより、映像データが表示装置１１０に格納される。
【００３２】
任意の構成として、ユーザによる映像データと香料データの対応付けを行ってもよい。例えばユーザは、タッチセンサ１３２を操作し、メモリ１２４内に格納された香料データ、および外部サーバ１４０などから受信した映像データや撮像部によって取得した映像データをそれぞれ選択し、これらを対応付けるための命令を入力してもよい（Ｓ１３２）。映像データと香料データの組み合わせはユーザが任意に決定することができ、例えば映像データに相応しい香料の香料データを対応付けることができる。駆動部１３４を介してこの命令を受け取った制御部１３６は、選択された映像データと香料データを対応づけてルックアップテーブルを作成し、これをメモリ１２４に格納する（Ｓ１３４）。これらの操作により、映像データは、香料データ、およびガイド１５８の位置情報と対応付けられる。
【００３３】
２−３．映像表示に応じた発香
電子機器１００を用いることで、ユーザは映像を享受するだけでなく、映像に相応しい香りを享受することができる。このフローの一例を図５（Ａ）に示す。
【００３４】
例えば、ユーザはタッチセンサ１３２を操作し、メモリ１２４内に格納された映像データを選択する。すなわち、タッチセンサ１３２を用いて入力されたユーザによる映像選択のための命令が駆動部１３４を介して制御部１３６へ伝えられる（Ｓ１４０）。この命令を受信した制御部１３６はメモリ１２４に対し、対応する映像データを駆動部１３４へ送信するための命令を送信する（Ｓ１４２）。メモリ１２４はこの命令に従い、映像データを制御部１３６を介して駆動部１３４に送信する（Ｓ１４４）。駆動部１３４はこの映像データから映像信号を生成して表示パネル１３０へ供給する。これにより、ユーザが選択した映像が表示パネル１３０上に表示される。
【００３５】
さらに、ユーザはタッチセンサ１３２を操作し、メモリ１２４内に格納された香料データを選択する。すなわち、タッチセンサ１３２を用いて入力された香料を選択するための命令が駆動部１３４を介して制御部１３６へ伝えられる（Ｓ１４６）。この命令に従って制御部１３６は、メモリ１２４に格納されている香料データに対応するガイド１５８の位置情報を呼び出し（Ｓ１４８、Ｓ１５０）、この情報とともに香料を拡散・放出するための命令を発香装置１５０の制御部１８０へ送信する（Ｓ１５２）。命令を受信した制御部１８０は、この命令に含まれるガイド１５８の位置情報に基づき、対応する気化部１６４を駆動するための信号を送信する（Ｓ１５４）。その結果、気化部１６４としてのヒータが加熱され、カートリッジ１７０内の香料が気化する。得られた香料の蒸気は開口部１５６を介して外部へ拡散・放出され、これにより、ユーザは自身で選択した香料を享受することができる。
【００３６】
なお、ユーザによる香料データの選択は、映像データの選択後に行ってもよく、香料データの選択の後に映像データの選択を行ってもよい。
【００３７】
上述したように、電子機器１００では、ユーザの入力によって映像データと香料データを対応付けることができる。このため、例えばユーザは、香料データを選択しなくても映像データのみを選択するだけで、これに相応しい香りを享受することも可能である。この場合、例えば図５（Ｂ）に示すように、まず、ユーザはタッチセンサ１３２を操作し、メモリ１２４内に格納された映像データを任意に選択する。すなわち、タッチセンサ１３２を用いて入力されたユーザによる映像選択のための命令が駆動部１３４を介して制御部１３６へ伝えられる（Ｓ１６０）。この命令を受信した制御部１３６はメモリ１２４に対し、対応する映像データを駆動部１３４へ送信するための命令を送信する（Ｓ１６２）。メモリ１２４はこの命令に従い、映像データを制御部１３６を介して駆動部１３４に送信するとともに、（Ｓ１６４）、この映像データに対応付けられた香料データに対応するガイド１５８の位置情報を制御部１３６へ送信する（Ｓ１６６）。駆動部１３４は映像データから映像信号を生成して表示パネル１３０へ供給し、一方制御部１３６はさらに、香料データに対応するガイド１５８の位置情報とともに香料を拡散・放出するための命令を発香装置１５０の制御部１８０へ送信する（Ｓ１６８）。命令を受信した制御部１８０は、この命令に含まれるガイド１５８の位置情報に基づき、対応する気化部１６４を駆動するための信号を送信する（Ｓ１７０）。このフローに従うことで、ユーザによって選択された映像データに基づく映像が表示され、それと同時にこの映像データに相応しい香りを拡散・放出することができる。
【００３８】
２−４．発香に応じた映像表示
図５（Ｂ）を用いて説明したフローでは、ユーザが映像データを選択した後、それに相応しい香料データが自動的に選択されるが、電子機器１００は、香料データがユーザによって選択された後に、香料に相応しい映像データが自動的に選択されるよう構成されてもよい。この場合のフローの一例を図６に示す。
【００３９】
まず、ユーザはタッチセンサ１３２を操作し、メモリ１２４内に格納された香料データを選択する。すなわち、タッチセンサ１３２を用いて入力された、香料を選択するための命令が駆動部１３４を介して制御部１３６へ伝えられる（Ｓ１８０）。この命令に従って制御部１３６は、メモリ１２４に格納されている香料データに対応するガイド１５８の位置情報を呼び出し（Ｓ１８２、Ｓ１８４）、これらの情報とともに香料を拡散・放出するための命令を発香装置１５０の制御部１８０へ送信する（Ｓ１８６）。命令を受信した制御部１８０は、この命令に含まれるガイド１５８の位置情報に基づき、対応する気化部１６４を駆動するための信号を送信する（Ｓ１９０）。これにより、カートリッジ１７０内の香料が拡散・放出される。
【００４０】
これと同時に制御部１３６は、香料データに対応する映像データをメモリ１２４から呼出し（Ｓ１９２、Ｓ１９４）、映像データを駆動部１３４へ送信する（Ｓ１９６）。駆動部１３４は映像データから映像信号を生成し、表示パネル１３０へ供給する。これにより、拡散・放出される香料に相応しい映像が表示パネル１３０に表示される。
【００４１】
上述したように、本発明の実施形態の一つに係る電子機器１００により、互いにマッチングした映像と香料を同時に享受することができる。さらに、映像が表示される方向と発香方向を任意に設定することができる。このためユーザは、発香装置１５０を回転させることで、聴覚と視覚によって感知できる情報と嗅覚によって感知できる情報を高い次元で調和させることができる。
【００４２】
（第２実施形態）
本実施形態では、映像表示機能と発香機能が一体化された電子機器２００について説明を行う。
【００４３】
本発明の実施形態の一つである電子機器２００の上面模式図を図７（Ａ）に、図７（Ａ）の鎖線Ｂ−Ｂ´に沿った断面模式図を図８に示す。図７（Ａ）、図８に示すように、電子機器２００は筐体２０２を有し、筐体２０２内に回路基板２６０、表示ユニット２０４、および発香装置２７０を備える。回路基板２６０は表示ユニットや発香装置２７０と電気的に接続され、これらに電源や種々の信号を供給する。任意の構成として、電子機器２００は音声出力部２５０や図示しない音声入力部を有してもよい。
【００４４】
表示ユニット２０４は、表示パネル２０６、および表示パネル２０６上のタッチセンサ２０８などから構成される。表示パネル２０６としては液晶表示装置や電界発光表示装置が例示され、図８では液晶表示装置を用いた例が示されている。この場合、表示パネル２０６はバックライトユニット２１０、基板２２０、薄膜トランジスタ（ＴＦＴ）アレイ２２４、画素電極２２６、共通電極２２８、液晶層２３０、封止材２３４などを主な構成として含む。図示しないが、表示パネル２０６にはカラーフィルタや配向膜、位相差膜、反射防止膜などの種々の光学フィルム、あるいは基板２２０と対向基板２３２間の距離を維持するためのスペーサなどを含んでもよい。
【００４５】
表示パネル２０６にはマトリクス状に配列した複数の画素２３６が設けられる（図７（Ａ））。複数の画素２３６にはそれぞれ画素電極２２６（図８）が設けられ、画素電極２２６は、ＴＦＴアレイ２２４に設けられるトランジスタによって制御される。映像データに基づいて生成される映像信号は、電位としてトランジスタを介して画素電極２２６に印加される。これにより、各画素２３６は色情報を与える最小ユニットとして機能する。複数の画素２３６によって表示領域２３８が形成され、この表示領域２３８に映像が表示される。
【００４６】
タッチセンサ２０８としては、投影型静電容量方式のタッチセンサが例示される。表示パネル２０６に表示される画像を利用しつつタッチセンサ２０８を操作することで、ユーザは種々の命令を電子機器２００に入力することができる。
【００４７】
発香装置２７０の構成に制約はなく、例えば図８に示すように、下部筐体２７２や上部筐体２７４、開口部を有する固定板２７６などを有することができる。電子機器１００の発香装置１５０と同様、下部筐体２７２には、香料が充填されるカートリッジ２８０を配置するためのガイドが設けられ、ガイド内には気化部２７８を設けることができる。上部筐体２７４には開口部２８２が設けられ、固定板２７６の開口部、および開口部２８２を通してカートリッジ２８０内に充填される香料が拡散・放出される。
【００４８】
表示パネル２０６には、その一部に切り欠きが設けられる。例えば図７（Ａ）に示す電子機器２００では、表示パネル２０６の一部に切り欠き２４０が設けられる。換言すると、基板２２０や対向基板２３２に切り欠き２４０が設けられる（図８参照）。この切り欠き２４０の形状を反映し、表示領域２３８にも切り欠き２４０と重なる切り欠き２４２が形成される（図７（Ｂ））。表示領域２３８の切り欠き２４２には画素２３６は形成されない。さらに筐体２０２には、切り欠き２４０と重なる開口部２４４が設けられる。開口部２４４は発香装置２７０の上部筐体２７４が有する開口部２８２と重なるように形成してもよい。あるいは、開口部２４４は、上部筐体２７４の開口部２８２から拡散・放出される香料の蒸気が通過できるように配置される。これにより、香料の蒸気は上部筐体２７４の開口部２８２、筐体２０２の開口部２４４を介して効率よく外部へ拡散・放出される。
【００４９】
ここで、切り欠きとは、ある構造の平面形状を四角形と円のいずれかから選択される図形に近似した場合、その構造の平面形状と図形が重ならない領域を意味する。ここで選択される図形は、平面形状の面積とより近い面積を有する図形が選択される。なお、切り欠きは閉じた形状であり、切り欠きが閉じた形状を有する場合には、開口と呼ぶことがある。
【００５０】
図７（Ａ）、図７（Ｂ）に示した例では、表示パネル２０６の切り欠き２４０は開いた形状を有しているが、切り欠き２４０は閉じた形状を有していてもよい。より具体的には、図７（Ｃ）に示すように、表示パネル２０６の基板２２０と対向基板２３２は開口２４１を有し、この開口２４１が筐体２０２の開口部２４４と重なる。表示領域２３８の切り欠き２４２は開口２４１と重なってもよい。
【００５１】
開口部２４４、および切り欠き２４０（または開口２４１）の位置は任意に決定することができる。図７（Ａ）に示した例では、開口部２４４は、表示領域２３８の互いに対向し、互いに平行な一対の辺からの距離が互いに異なるように設けられるが、図９に示すように、開口部２４４や切り欠き２４０（または開口２４１）は、上記一対の辺からの距離が互いに同一になるように設けてもよい。
【００５２】
あるいは図１０に示すように、表示パネル２０６と表示領域２３８は、閉じた形状を有する切り欠き、すなわち開口２４１、２４３を有してもよい。これらの開口２４１、２４３は互いに重なり、平面視において表示領域２３８によって囲まれ、筐体２０２の開口部２４４と重なる。開口部２４４や開口２４１、２４３は、発香装置２７０の上部筐体２７４の開口部２８２と重なってもよい。これらの開口２４１、２４３の位置には制約はなく、図１０に示すように表示領域２３８の中心、あるいはその近傍に形成してもよく、表示領域２３８の端部付近に形成してもよい。
【００５３】
あるいは図１１に示すように、表示パネル２０６、および表示領域２３８は、互いに重なるスリット状の切り欠き２４０、２４２を有してもよい。切り欠き２４０、２４２は、表示領域２３８が形成する面内において、主に直線形状を有する。また、直線形状の先端部において、切り欠き２４０、２４２は筐体２０２の開口部２４４と重なる。先端部は、直線形状と比較してその幅が大きくてもよい。
【００５４】
表示パネル２０６や表示領域２３８の形状にも制約はなく、例えば図１２（Ａ）、図１２（Ｂ）に示すように、円形でも良い。この場合、表示パネル２０６や表示領域２３８の形状を反映し、筐体２０２も円形形状を有するように構成される。図１０、図１１で示した例と同様に、表示パネル２０６や表示領域２３８はそれぞれ開口２４１、２４３、あるいはスリット状の切り欠き２４０、２４２をそれぞれ有することができる。開口２４１、２４３は筐体２０２の開口部２４４と重なる。スリット状の切り欠き２４０、２４２も表示領域２３８が形成する面内において主に直線形状を有し、その先端部は筐体２０２の開口部２４４と重なる。先端部は、直線形状と比較してその幅が大きくてもよい。
【００５５】
あるいは図１３（Ａ）に示すように、電子機器２００の表示パネル２０６は、複数の表示領域２３８を有していてもよい。この場合、二つの表示領域２３８間の距離は、それぞれの表示領域２３８に設けられる隣接する画素２３６間の距離よりも大きい。表示パネル２０６の開口２４１は二つの表示領域２３８の間に、すなわち二つの表示領域２３８に挟まれる領域に重なるように設けられ、この開口２４１と重なるように筐体２０２の開口部２４４が形成される。発香装置２７０は、上部筐体２７４の開口部２８２が開口２４１、開口部２４４と重なるよう構成してもよい。
【００５６】
このような構造を有する電子機器２００では、表示領域２３８間の距離は表示パネル２０６内で一定でもよく、可変でも良い。後者の場合、例えば図１３（Ｂ）に示すように、一方、もしくは両方の表示領域２３８に切り欠き２４２を設けてもよい。切り欠き２４２を両方の表示領域２３８に設ける場合、開口２４１、開口部２４４を挟むように切り欠き２４２が形成される。すなわち、二つの切り欠き２４２に挟まれる領域に重なるよう、開口２４１、開口部２４４が形成される。
【００５７】
あるいは図１４（Ａ）に示すように、電子機器２００は複数の表示パネル２０６を備え、複数の表示パネル２０６の間に香料を拡散・放出するための開口部２４４を配置してもよい。図１４（Ａ）に示した例では、電子機器２００は二つの表示パネル２０６（第１の表示パネル２０６−１、第２の表示パネル２０６−２）を有しており、それぞれが表示領域２３８（第１の表示領域２３８−１、第２の表示領域２３８−２）を備えている。表示パネル２０６の少なくとも一つに切り欠き２４０を設けてもよい。図１４（Ａ）に示した例では、第１の表示パネル２０６−１と第２の表示パネル２０６−２の両方に切り欠き２４０−１、２４０−２がそれぞれ形成され、開口部２４４はこれらの切り欠き２４０−１、２４０−２に挟まれるよう、すなわち、切り欠き２４０−１、２４０−２に挟まれる領域と重なるように設けられる。
【００５８】
さらに図１４（Ｂ）に示すように、少なくとも一つの表示領域２３８に切り欠き２４２を形成してもよい。図１４（Ｂ）に示した例では、第１の表示領域２３８−１と第２の表示領域２３８−２の両方に切り欠き２４２−１、２４２−２が形成され、開口部２４４はこれらの切り欠き２４２−１、２４２−２に挟まれるように、すなわち、切り欠き２４２−１、２４２−２に挟まれる領域と重なるように設けられる。
【００５９】
このような形態を有する電子機器２００も、電子機器１００と同様、表示パネル２０６による映像表示機能のみならず、発香装置２７０によって発香機能が与えられる。このためユーザは、表示パネル２０６によって表示される映像のみならず、この映像に相応しい香料が醸し出す雰囲気を同時に楽しむことができる。さらに電子機器２００では、表示領域２３８の近傍、あるいは表示領域２３８に囲まれ、筐体２０２に設けられる開口部２４４から香料の蒸気が拡散・放出される。したがって、映像を視聴するユーザに対し、より効果的に香料の蒸気を供給することができ、聴覚と視覚、嗅覚によって得られる様々な情報をより効果的に享受することができる。
【００６０】
図１４（Ａ）、図１４（Ｂ）に示した電子機器２００を応用することで、映像と音声を提供するのみならず、香料を拡散・放出可能な大型の表示装置を製造することができる。これにより、例えば公共の場所や施設に設置でき、かつ、香りという情報を提供可能なデジタルサイネージを提供することができる。
【００６１】
例えば図１５に示すように、それぞれ表示領域２３８を有する複数の表示パネル２０６をマトリクス状に配置し、隣接する表示パネル２０６の間に香料を拡散・放出するための開口部２４４を筐体２０２に一つ、あるいは複数設ける。これにより、例えば複数の表示領域２３８を用いてレストラン街の地図を表示し、ユーザが目的とする店舗をタッチすると、その店舗の詳細な写真やメニューなどの視覚情報を表示パネル２０６を用いて表示するとともに、タッチされた箇所の周辺に位置する開口部２４４から、その店舗が提供する料理の香りを与える香料を拡散・放出させることができる。このような応用により、ユーザに対してより魅力的な情報やサービスを提供することが可能となる。
【００６２】
（第３実施形態）
本実施形態では、表示機能と発香機能を併せ持つステーショナリー型の電子機器３００について説明する。
【００６３】
本実施形態に係る電子機器３００は、図１６に示すように、下部筐体３０４、下部筐体３０４の上に取り付けられ、開閉可能な上部筐体３０２、上部筐体３０２内に設けられる表示ユニット３０６を有し、発香機能は下部筐体３０４内に備えられる。任意の構成として、電子機器３００は、操作ボタン３１６や、下部筐体３０４と上部筐体３０２との間隔を一定に保持するための複数のスペーサ３１４を有してもよい。隣接する二つのスペーサ３１４の間には隙間３１２が設けられ、後述する発香機能によって拡散・放出される香料はこの隙間３１２から放出される。
【００６４】
上部筐体３０２を開けた状態を図１７に示す。発香機能を発現するための構成は任意に選択することができ、電子機器１００の発香装置１５０と同様の構成でも良く、例えば図１７に示すように、香料が充填される複数のカートリッジ３２０や気化部３１８を下部筐体１５２内に配置することで発香機能を発現してもよい。ここに示した例では、気化部３１８としては送風機能を有するファンが用いられる。また、他の気化部として、図示しない加熱装置をさらに備えてもよい。複数の気化部を備えることで、より大量の香料を拡散・放出することが可能であり、大型の部屋、あるいはホテルのロビーやホールなど、比較的多くの人が集まる公共施設に設置しても十分な香りを提供することができる。
【００６５】
電子機器３００のブロック図の一例を図１８に示す。例えば電子機器３００は、電子機器３００全体を制御するための制御部３３２、表示ユニット３０６を構成する表示パネル３０８、表示パネル３０８上に備えられるタッチセンサ３１０、表示パネル３０８とタッチセンサ３１０を駆動するための駆動部３３０、気化部３１８、カートリッジ３２０の香料情報を取得するための識別部３３４、メモリ３３６、送受信部３３８、バッテリ３４０などによって構成することができる。これらの各要素は、第１実施形態の電子機器１００のそれらと同様であるため、詳細な説明は割愛する。
【００６６】
電子機器３００においても、電子機器１００、２００と同様に、例えば図４（Ａ）から図６に示したフローに従うことで、表示ユニット３０６を利用して映像を表示するとともに、映像に相応しい香料を拡散・放出することができ、逆に、拡散・放出される香料に相応しい映像を表示することができる。また、表示ユニット３０６を照明として使用することもできる。このため、例えば香料が発する香りを享受しながら、その香りに相応しい色の光を放射可能な照明として応用することができる。
【００６７】
（第４実施形態）
本実施形態では、電子機器３００とは異なるステーショナリー型の電子機器４００について説明する。
【００６８】
本実施形態に係る電子機器４００の模式的斜視図を図１９（Ａ）に示す。この図に示すように、電子機器４００は、下部筐体４０４、下部筐体４０４上に設けられる上部筐体４０２、上部筐体４０２内に配置される表示ユニット４０６を有する。下部筐体４０４と下部筐体４０４は互いに着脱可能なように構成される。図１９（Ｂ）は上部筐体４０２を取り除いた状態の電子機器４００の模式的上面図である。図１９（Ａ）、図１９（Ｂ）に示すように、電子機器４００はさらに、上部筐体４０２と下部筐体４０４との間の隙間から一部が露出する一対の導光部４２０、導光部４２０に取り付けられる発光部４２２を有する。発光部４２２としては、例えば発光ダイオード（ＬＥＤ）を用いることができ、発光部４２２から出射する光は導光部４２０内を拡散し、露出された側面から認識することができる。
【００６９】
下部筐体４０４内には、香料が充填されるカートリッジに対応して設けられる気化部４２６が少なくとも一つ備えられる。気化部４２６としては、例えば加熱装置が例示される。気化部４２５の下に第２の気化部としてファン４２４をさらに設けてもよい。一対の導光部４２０の間は空隙４２１となっており、気化部４２６とファン４２４を併用することで、カートリッジ内の香料を急速に気化させて、上記空隙４２１から香料の蒸気を高濃度で拡散・放出することができる。
【００７０】
電子機器４００のブロック図の一例を図２０に示す。電子機器４００は、例えば、電子機器４００の全体を制御する制御部４３０、表示ユニット４０６を構成する表示パネル４０８、表示パネル４０８の上に設けられるタッチセンサ４１０、表示パネル４０８とタッチセンサ４１０を制御するための駆動部４１２などによって構成され、発光部４２２、ファン４２４、気化部４２６、識別部４２８、メモリ４３２、送受信部４３４、音声出力部４３６、バッテリ４３８などが制御部４３０と接続される。これらの構成要素は、電子機器１００、３００のそれらと同様であるため、説明は割愛する。
【００７１】
このような構成により、電子機器４００も図４（Ａ）から図６に示したフローに従った動作が可能である。したがって、表示ユニット４０６において映像を表示するとともに、映像に相応しい香料を拡散・放出することができ、逆に、拡散・放出される香料に相応しい映像を表示することができる。また、表示ユニット４０６を照明として使用することもできる。このため、例えば香料が発する香りを享受しつつ、その香りに相応しい色の光を放射可能な照明としても応用することができる。表示ユニット４０６から放射される光と、発光部４２２から放射される光の波長は任意に選択することができるが、例えばこれらの光の波長を同一にすることにより、調和のとれた雰囲気を与えることができる。
【００７２】
また、表示パネル４０８、ファン４２４、気化部４２６、音声出力部４３６、および発光部４２２を制御部４３０によって同期的に動作させることで、電子機器４００をタイマーや目覚まし時計として機能させることもできる。例えばユーザがタッチセンサ４１０を操作することで入力した時間をメモリ４３２に格納し、その時間に発光部４２２と表示パネル４０８から発光を行い、同時に気化部４２６とファン４２４を用いて香料を急速に気化させ、さらに音声出力部４３６から音声を出力する。これにより、光や音声という刺激だけでなく、香りという刺激を利用して設定された時間をユーザに知らせることができる。
【００７３】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【００７４】
上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【００７５】
１００：電子機器、１０２：筐体、１１０：表示装置、１１２：連結部、１１４：筐体、１１６：表示ユニット、１１８：音声出力部、１２０：音声入力部、１２２：送受信部、１２４：メモリ、１２６：バッテリ、１３０：表示パネル、１３２：タッチセンサ、１３４：駆動部、１３６：制御部、１４０：外部サーバ、１５０：発香装置、１５２：下部筐体、１５４：上部筐体、１５６：開口部、１５８：ガイド、１６０：固定板、１６４：気化部、１６６：識別部、１７０：カートリッジ、１７２：開口部、１７４：回路、１８０：制御部、１８２：バッテリ、２００：電子機器、２０２：筐体、２０４：表示ユニット、２０６：表示パネル、２０６−１：第１の表示パネル、２０６−２：第２の表示パネル、２０８：タッチセンサ、２１０：バックライトユニット、２２０：基板、２２４：ＴＦＴアレイ、２２６：画素電極、２２８：共通電極、２３０：液晶層、２３２：対向基板、２３４：封止材、２３６：画素、２３８：表示領域、２３８−１：第１の表示領域、２３８−２：第２の表示領域、２４１：開口、２４３：開口、２４４：開口部、２５０：音声出力部、２６０：回路基板、２７０：発香装置、２７２：下部筐体、２７４：上部筐体、２７６：固定板、２７８：気化部、２８０：カートリッジ、２８２：開口部、３００：電子機器、３０２：上部筐体、３０４：下部筐体、３０６：表示ユニット、３０８：表示パネル、３１０：タッチセンサ、３１２：隙間、３１４：スペーサ、３１６：操作ボタン、３１８：気化部、３２０：カートリッジ、３３０：駆動部、３３２：制御部、３３４：識別部、３３６：メモリ、３３８：送受信部、３４０：バッテリ、４００：電子機器、４０２：上部筐体、４０４：下部筐体、４０６：表示ユニット、４０８：表示パネル、４１０：タッチセンサ、４１２：駆動部、４２０：導光部、４２１：空隙、４２２：発光部、４２４：ファン、４２５：気化部、４２６：気化部、４２８：識別部、４３０：制御部、４３２：メモリ、４３４：送受信部、４３６：音声出力部、４３８：バッテリ
【図１】
2020014583.tif 000003
【図２】
2020014583.tif 000004
【図３】
2020014583.tif 000005
【図４】
2020014583.tif 000006
【図５】
2020014583.tif 000007
【図６】
2020014583.tif 000008
【図７】
2020014583.tif 000009
【図８】
2020014583.tif 000010
【図９】
2020014583.tif 000011
【図１０】
2020014583.tif 000012
【図１１】
2020014583.tif 000013
【図１２】
2020014583.tif 000014
【図１３】
2020014583.tif 000015
【図１４】
2020014583.tif 000016
【図１５】
2020014583.tif 000017
【図１６】
2020014583.tif 000018
【図１７】
2020014583.tif 000019
【図１８】
2020014583.tif 000020
【図１９】
2020014583.tif 000021
【図２０】
2020014583.tif 000022